(57)【特許請求の範囲】
【請求項１】
レーザービームを発光するマルチビームレーザーダイオードと、前記レーザービームの発光を制御するドライブ回路基板と、前記マルチビームレーザーダイオードと前記ドライブ回路基板との間に介在して前記ドライブ回路基板に対する前記マルチビームレーザーダイオードの回転を許容する回転用通電体とを有し、前記回転用通電体は、前記ドライブ回路基板に電気的に接続されて固着された固定体と、前記マルチビームレーザーダイオードの接続端子に電気的に接続されて固着された可動体とを備え、前記可動体には前記マルチビームレーザーダイオードの接続端子と同数個の可動体側通電面が設けられ、前記固定体には前記可動体側通電面と接触して前記マルチビームレーザーダイオードと前記ドライブ回路基板との通電を確保する突起状通電部が前記可動体側通電面に対応して設けられ、該可動体は前記固定体に対して前記マルチビームレーザーダイオードと一体となって回転可能であるとともに、前記固定体と前記可動体とは前記可動体側通電面と前記突起状通電部との電気的接触により前記可動体の回転位置にかかわらず前記ドライブ回路基板と前記マルチビームレーザーダイオードとの通電を確保し、前記可動体と前記固定体とが回転調整後に締結固定されることを特徴とするマルチビームレーザーダイオード回転装置。
【請求項２】
前記可動体側通電面に対応する前記突起状通電面とは異なる突起状通電部と当該可動体通電面との絶縁を確保するために、前記固定体に対する前記可動体の回転角度を規制する回転規制機構が前記回転用通電体に設けられていることを特徴とする請求項１に記載のマルチビームレーザーダイオード回転装置。
【請求項３】
レーザービームを発光するマルチビームレーザーダイオードに固着可能とされかつ該マルチレーザビームの接続端子に電気的に接続されしかも該接続端子と同数個の可動体側通電面を有する可動体と、前記レーザービームの発光を制御するドライブ回路基板に電気的に接続されて固着可能な固定体とを有し、前記可動体は前記固定体に対して前記マルチビームレーザーダイオードと一体となって回転可能であるとともに、前記固定体と前記可動体とは前記可動体側通電面と前記突起状通電部との電気的接触により前記可動体の回転位置にかかわらず前記ドライブ回路基板と前記マルチビームレーザーダイオードとの通電を確保し、前記可動体と前記固定体とが回転調整後に締結固定されることを特徴とする回転用通電体。
【請求項４】
前記可動体側通電面に対応する前記突起状通電部とは異なる突起状通電部と当該可動体通電面との絶縁を確保するために、前記固定体に対する前記可動体の回転角度を規制する回転規制機構が設けられていることを特徴とする請求項３に記載の回転用通電体。
【発明の詳細な説明】
【０００１】
【発明の属する技術分野】
レーザー走査光学装置に設けられるマルチビームレーザーダイオードの接続装置に関するものである。
【０００２】
【従来の技術】
従来から、複写機やプリンタの分野では、電子写真感光体への画像書込み手段として種々のレーザービーム走査光学装置が提供されている。特に今日では、画像密度の向上や画像書き込み速度の高速化という要求を達成するために、複数のレーザービームを副走査方向に所定の間隔をおいて同時に出射し、１回の主走査方向への走査で複数ラインの画像を書き込むことが可能なマルチビーム方式のレーザー走査光学装置が開発されている。
【０００３】
このようなマルチビーム方式のレーザー走査光学装置は、図１０に示すようにマルチビームレーザーダイオード１、ドライブ回路基板２、コリメータレンズ３、シリンダレンズ４、ポリゴンミラー（回転多面体）５、ｆθレンズ６、反射ミラー７等で概略構成される。
【０００４】
マルチビームレーザーダイオード１から出射された複数本のレーザービームは、コリメータレンズ３で平行光線とされた後、シリンダレンズ４を介して所定速度で回転駆動されるポリゴンミラー５に入射される。入射されたレーザービームはポリゴンミラー５に設けられた各偏向面（反射面）で偏向反射された後、ｆθレンズ６、反射ミラー７等を透過して感光ドラム８に導光される。導光された複数本のレーザービームは、感光ドラム８上を主走査方向へ同時に走査され、その走査によって感光ドラム８に画像情報が記録される。なお、図１０ではマルチビームレーザーダイオード１から出射されている複数本のレーザービームを、便宜上１本として示している。
【０００５】
【発明が解決しようとする課題】
ところで、複数本のレーザービームの副走査方向に対する走査間隔を微調整する場合には、図１１（ａ）〜（ｄ）に示すようにマルチビームレーザーダイオード１を回転させることにより、コリメータレンズ３やポリゴンミラー５等の光学系Ａを介して走査される感光ドラム８上のビーム走査間隔Ｄを適正間隔ｄに調整する方法が一般的に用いられている。しかし、従来、マルチビームレーザーダイオード１はドライブ回路基板２に半田付けされていたので、マルチビームレーザーダイオード１の微調整を行う場合には図１２に示すようにドライブ回路基板２を２点鎖線で示す所定位置から実線で示す位置へ傾けて設置するか、又は、図１３に示すようにマルチビームレーザーダイオード１のリード線（接続端子）９をねじってドライブ回路基板２に半田付けする必要があり、レーザービームの微調整を行うことが困難となっていた。
【０００６】
本発明は上記の事情に鑑みて為されたものであり、ドライブ回路基板を所定位置から傾けて設置したり、マルチビームレーザーダイオードのリード線をねじって固定することなく、簡単にレーザービームの走査間隔を調整することが可能なマルチビームレーザーダイオード回転装置及びそのマルチビームレーザーダイオード回転装置に用いられる回転用通電体を提供することを目的とするものである。
【０００７】
【課題を解決するための手段】
上記目的を達成するために請求項１に記載のマルチビームレーザーダイオード回転装置は、レーザービームを発光するマルチビームレーザーダイオードと、前記レーザービームの発光を制御するドライブ回路基板と、前記マルチビームレーザーダイオードと前記ドライブ回路基板との間に介在して前記ドライブ回路基板に対する前記マルチビームレーザーダイオードの回転を許容する回転用通電体とを有し、前記回転用通電体は、前記ドライブ回路基板に電気的に接続されて固着された固定体と、前記マルチビームレーザーダイオードの接続端子に電気的に接続されて固着された可動体とを備え、前記可動体には前記マルチビームレーザーダイオードの接続端子と同数個の可動体側通電面が設けられ、前記固定体には前記可動体側通電面と接触して前記マルチビームレーザーダイオードと前記ドライブ回路基板との通電を確保する突起状通電部が前記可動体側通電面に対応して設けられ、  該可動体は前記固定体に対して前記マルチビームレーザーダイオードと一体となって回転可能であるとともに、前記固定体と前記可動体とは前記可動体側通電面と前記突起状通電部との電気的接触により前記可動体の回転位置にかかわらず前記ドライブ回路基板と前記マルチビームレーザーダイオードとの通電を確保し、前記可動体と前記固定体とが回転調整後に締結固定されることを特徴とする。
請求項２に記載のマルチビームレーザーダイオード回転装置は、  前記可動体側通電面に対応する前記突起状通電面とは異なる突起状通電部と当該可動体通電面との絶縁を確保するために、前記固定体に対する前記可動体の回転角度を規制する回転規制機構が前記回転用通電体に設けられていることを特徴とする。
【０００９】
請求項３に記載の回転用通電体は、レーザービームを発光するマルチビームレーザーダイオードに固着可能とされかつ該マルチレーザビームの接続端子に電気的に接続されしかも該接続端子と同数個の可動体側通電面を有する可動体と、前記レーザービームの発光を制御するドライブ回路基板に電気的に接続されて固着可能な固定体とを有し、前記可動体は前記固定体に対して前記マルチビームレーザーダイオードと一体となって回転可能であるとともに、前記固定体と前記可動体とは前記可動体側通電面と前記突起状通電部との電気的接触により前記可動体の回転位置にかかわらず前記ドライブ回路基板と前記マルチビームレーザーダイオードとの通電を確保し、前記可動体と前記固定体とが回転調整後に締結固定されることを特徴とする。
請求項４に記載の回転用通電体は、前記可動体側通電面に対応する前記突起状通電部とは異なる突起状通電部と当該可動体通電面との絶縁を確保するために、前記固定体に対する前記可動体の回転角度を規制する回転規制機構が設けられていることを特徴とする。
【００１０】
【発明の実施の形態】
図１〜図９は本発明に係るマルチビームレーザーダイオード回転装置１０及び回転用通電体１１を示したものである。なお図１０から図１３までと同一ないしは均等な部分については同一符号を付して説明する。
【００１１】
マルチビームレーザーダイオード回転装置１０は図１に示すように、マルチビームレーザーダイオード１と、ドライブ回路基板２と、マルチビームレーザーダイオード１とドライブ回路基板２との間に介在する回転用通電体１１とで概略構成される。
【００１２】
マルチビームレーザーダイオード１は図２に示すように１パッケージに複数個（２〜３個）の発光点を備えており、この上部はガラスカバー１ａで覆われている。また、マルチビームレーザーダイオードにはリード線９が４本設けられている。
【００１３】
回転用通電体１１はマルチビームレーザーダイオード１に固定される可動体１２と、ドライブ回路基板２に固定される固定体１３とで構成されている。
【００１４】
可動体１２は、図３に示すように固定体１３との接続面に、マルチビームレーザーダイオード１のリード線９と同数４個の通電面１４が設けられている。可動体１２には、図４に示すようにマルチビームレーザーダイオード１との接続面側にリード線導入孔１５が設けられており、リード線導入孔１５へ挿入されたリード線９は通電面１４と通電される。リード線９は通電面１４に半田付けされ、この半田付け１６によりマルチビームレーザーダイオード１に可動体１２が固着される。
【００１５】
各通電面１４の境界部には絶縁壁１７が設けられており、この絶縁壁１７により各通電面１４は可動体１２の中心部から扇形状に区分けされる。
【００１６】
固定体１３には、可動体１２との接続面に図５に示すような円柱状の突起状通電部１８が通電面１４と同数個設けられており、この突起状通電部１８は、図６に示すように固定体１３のドライブ回路基板２との接続面に設けられたリード線１９と通電される。リード線１９はドライブ回路基板２に半田付けされ、この半田付け１６によりドライブ回路基板２に固定体１３が固着される。
【００１７】
突起状通電部１８は、固定体１３の中心から同心円上に等間隔をおいて隣り合う突起状通電部１８と絶縁された状態で設置される。
【００１８】
可動体１２及び固定体１３は、マルチビームレーザーダイオード１とドライブ回路基板２との端子毎の導通が確保され、かつ、他の端子と導通することがないように、リード線導通孔１５の内周及びリード線１９の固定体１３内部部分の外周が各端子毎に絶縁部２０で絶縁処理されており、その絶縁部の外側は放熱効果を高めるために所定の金属２１で覆われている。
【００１９】
可動体１２及び固定体１３には、図７に示すように取り付け部２２が２ヶ所ずつ設けられている。各取り付け部２２には円弧状の開口２３が設けられており、この開口２３を介して可動体１２と固定体１３とが調整ビス２４及びナット２５で固定されるようになっている。
【００２０】
この調整ビス２４の締め付けを調整することにより、図８のように可動体１２と固定体１３との取り付け角度αを手動で調整できるようになっている。
【００２１】
この取り付け角度αは、固定体１３に対する可動体１２の回転により通電面１４と接触する突起状通電部１８が絶縁壁１７にぶつかるため、一定角度以上まわらないように規制される。このため突起状通電部１８が対応する通電面１４以外の通電面と接触することを防止できる。
【００２２】
以下、マルチビームレーザーダイオード１とドライブ回路基板２とに接続されたマルチビームレーザーダイオード回転装置１０の作動について説明する。
【００２３】
レーザー走査光学装置に設置されるマルチビームレーザーダイオード１は、図９に示すように先端部にコリメータレンズ３を備えた円筒枠２６が設けられている。円筒枠２６はＵ字状の保持枠２７に支持されており、この保持枠２７によりマルチビームレーザーダイオード１から出るレーザービームが一定方向に固定される。
【００２４】
レーザービームの副走査方向に対する間隔を調整する際には、マルチビームレーザーダイオード１からレーザービームを出射させて、感光ドラム８上を走査するレーザービームの間隔を調べ、その結果に応じて可動体１２を固定体１３に対して所定角度回転させることにより調整する。
【００２５】
レーザービームの間隔が所定幅に調整されたマルチビームレーザーダイオード回転装置１０は、その可動体１２と固定体１３との角度を保ちつつ調整ビス２４の締め直しが行われる。
【００２６】
このように、回転用通電体１１をマルチビームレーザーダイオード１とドライブ回路基板２との間に介在することにしたので、マルチビームレーザーダイオード１をドライブ回路基板２に対して容易に回転させることができるようになり、従来のようにドライブ回路基板２を所定位置に対して傾けて設置したり、マルチビームレーザーダイオード１のリード線９をねじって固定する必要がなくなる。
【００２７】
回転用通電体１１によりマルチビームレーザーダイオード１をドライブ回路基板２に対して容易に回転させることができるので、従来より迅速かつ容易に副走査方向に対すレーザービームの間隔を調整することができるようになる。
【００２８】
また、マルチビームレーザーダイオード１がドライブ回路基板２に対して回転可能であるため、ドライブ回路基板２の設置に対する制約が減少し、ドライブ回路基板２の設置の自由度が増すという効果を有する。
【００２９】
本実施例のマルチビームレーザーダイオード回転装置１０では、回転用通電体１１に金属が用いられているため、従来に比べてマルチビームレーザーダイオード１及びドライブ回路基板２に対する放熱効果を向上させることができる。
【００３０】
マルチビームレーザーダイオード１は従来のように半田付けされていないので、調整ビス２４を取り外すことによりマルチビームレーザーダイオード１をドライブ回路基板２から取り外すことが可能となり、マルチビームレーザーダイオード１の交換を容易に行うことができるという効果を奏する。
【００３１】
以上、この発明に係る実施例を図面を用いて詳述してきたが、発明の具体的構成は本実施例に限定されるものではなく、この発明の要旨を逸脱しない範囲内で変更等があってもこの発明に含まれる。
【００３２】
【発明の効果】
本発明に係るマルチビームレーザーダイオード回転装置及び回転用通電体は以上説明したように、マルチビームレーザーダイオードとドライブ回路基板との間に回転用通電体を介在させ、ドライブ回路基板に予め固定体を固定させ、可動体に予めマルチビームレーザーダイオードを固定させ、固定体に対して可動体の電気的接触を確保しつつ可動体を回転させることによりマルチビームレーザーダイオードをドライブ回路基板に対して回転させることにしたから、従来のようにドライブ回路基板を傾けて設置したり、マルチビームレーザーダイオードのリード線をねじって固定する必要がなくなるという効果を奏する。
【００３３】
また、回転用通電体の固定体に対する可動体の回転のみによりマルチビームレーザーダイオードをドライブ回路基板に対して回転させることができるので、従来より迅速かつ容易に副走査方向に対すレーザービームの間隔を調整することができるという効果を奏する。
【図面の簡単な説明】
【図１】本発明に係るマルチビームレーザーダイオード回転装置を示す側面図である。
【図２】本発明に係るマルチビームレーザーダイオードの斜視図である。
【図３】本発明に係る可動部を示す斜視図である。
【図４】本発明に係る可動部の側方断面図である。
【図５】本発明に係る固定部を示す斜視図である。
【図６】本発明に係る固定部の側方断面図である。
【図７】本発明に係る回転用通電体を示す分解斜視図である。
【図８】本発明に係る回転用通電体を示す斜視図である。
【図９】レーザー走査光学装置に設置された本発明に係るマルチビームレーザーダイオード回転装置を示す斜視図である。
【図１０】レーザー走査光学装置の概略構成を示した図である。
【図１１】マルチビームレーザーダイオードを回転させることにより行うビーム走査間隔の調整方法を示した図であって、
（ａ）はビーム走査間隔がＤの場合のマルチビームレーザーダイオードを示した図である。
（ｂ）は（ａ）のマルチビームレーザーダイオードを回転させることによりビーム走査間隔が適正間隔ｄとなったマルチビームレーザーダイオードを示した図である。
（ｃ）は（ａ）の状態でのマルチビームレーザーダイオードの発光点の位置とそれに伴うビーム走査間隔Ｄとを示した図である。
（ｄ）は（ｂ）の状態でのマルチビームレーザーダイオードの発光点の位置とそれに伴うビーム走査間隔ｄとを示した図である。
【図１２】ビーム走査間隔の調整を行うために傾けて設置されたドライブ回路基板を示した図である。
【図１３】ビーム走査間隔の調整を行うためにリード線をねじってドライブ回路基板に固定されたマルチビームレーザーダイオードを示した図である。
【符号の説明】
１      マルチビームレーザーダイオード
２        ドライブ回路基板
１１    回転用通電体
１２    可動体
１３    固定体
１４    通電面
１７    絶縁壁
１８    突起状通電部
【図１】
0003709467.tif 000002
【図２】
0003709467.tif 000003
【図３】
0003709467.tif 000004
【図４】
0003709467.tif 000005
【図５】
0003709467.tif 000006
【図６】
0003709467.tif 000007
【図７】
0003709467.tif 000008
【図８】
0003709467.tif 000009
【図９】
0003709467.tif 000010
【図１０】
0003709467.tif 000011
【図１１】
0003709467.tif 000012
【図１２】
0003709467.tif 000013
【図１３】
0003709467.tif 000014